(57)【特許請求の範囲】
【請求項１】
記録開始指示により記録媒体への情報の記録を開始し、記録終了指示により記録媒体への情報の記録を終了するビデオカメラにおいて、
前記情報を前記記録媒体に記録する記録手段を備え、
前記記録手段は、前記記録媒体に既に情報が記録されている場合に、前記既に記録されている情報の解像度と次に記録する情報の解像度が異なる場合は解像度の変更を禁止し、
記録終了指示を受けたときの前記情報の情報量が前記記録媒体の所定記録単位の整数倍に満たない場合、アライメントして記録することで前記情報の情報量を前記記録媒体の所定記録単位の整数倍とすることを特徴とするビデオカメラ。
【請求項２】
記録開始指示により記録媒体への情報の記録を開始し、記録終了指示により記録媒体への情報の記録を終了するビデオカメラが実行する情報記録方法において、
前記情報を前記記録媒体に記録し、
前記記録媒体に既に情報が記録されている場合に、前記既に記録されている情報の解像度と次に記録する情報の解像度が異なる場合は解像度の変更を禁止し、
記録終了指示を受けたときの前記情報の情報量が前記記録媒体の所定記録単位の整数倍に満たない場合、アライメントして記録することで前記情報の情報量を前記記録媒体の所定記録単位の整数倍とすることを特徴とする情報記録方法。
【請求項３】
記録開始指示により記録媒体への情報の記録を開始し、記録終了指示により記録媒体への情報の記録を終了するビデオカメラにおいて、
前記情報を前記記録媒体に記録する記録手段を備え、
前記記録手段は、記録終了指示を受けたときの前記情報の情報量が前記記録媒体の所定記録単位の整数倍に満たない場合、アライメントして記録することで前記情報の情報量を前記記録媒体の所定記録単位の整数倍とすることを特徴とするビデオカメラ。
【請求項４】
記録開始指示により記録媒体への情報の記録を開始し、記録終了指示により記録媒体への情報の記録を終了するビデオカメラが実行する情報記録方法において、
前記情報を前記記録媒体に記録し、
記録終了指示を受けたときの前記情報の情報量が前記記録媒体の所定記録単位の整数倍に満たない場合、アライメントして記録することで前記情報の情報量を前記記録媒体の所定記録単位の整数倍とすることを特徴とする情報記録方法。
【発明の詳細な説明】
【技術分野】
【０００１】
本発明は、記録媒体に対して情報を記録、再生する技術に関する。
【背景技術】
【０００２】
従来は、例えば、ＶＣＲ(Video Cassette Recorder)のように磁気テープを用
いて、情報を記録処理する技術が知られている。
【０００３】
また、上記磁気テープではなく、ＣＤ−ＲＷ(Compact Disc - ReWritable)、
ＤＶＤ−ＲＡＭ(Digital Versatile Disc - Random Access Memory)のように円
盤状の情報記録媒体に情報を記録する技術も知られている。
【０００４】
ＶＣＲの場合、情報を磁気テープに連続的に記録するものであるから、所望の
情報の再生も連続的に行わなければならず、情報のアクセス速度は遅い。これに
対して、ＣＤ−ＲＷ、ＤＶＤ−ＲＡＭのように円盤状の情報記録媒体に情報を記
録する場合、所望の情報の再生を即座に可能とする、所謂ランダムアクセスが出
来るので、情報のアクセス速度がＶＣＲに比べて速いという特徴がある。
【０００５】
近年、ＴＶ放送やライン入力で入力された映像を、一度しか書き込みのできな
い追記型のＤＶＤにデジタル録画するＤＶＤレコーダが発売されている。このＤ
ＶＤレコーダでは、１回の録画開始から録画終了までに記録媒体に記録した映像
をビデオタイトルセットと呼ばれる管理単位で管理する。
【０００６】
図１に示すように、記録媒体１０１には、ビデオタイトルセット＃１（１０２
）、ビデオタイトルセット＃２（１０３）、…ビデオタイトルセット＃Ｎ（１０
４）というように、ビデオタイトルセットが、録画した映像の数だけ増えていく
データ構造が構築される。このとき、ビデオタイトルセット＃１（１０２）、ビ
デオタイトルセット＃２（１０３）、…ビデオタイトルセット＃Ｎ（１０４）は
、それぞれ、タイトル＃１（１０５）、タイトル＃２（１０６）、…タイトル＃
Ｎ（１０７）に一対一で対応付けられる。さらに、それぞれのタイトルは、チャ
プタ＃１（１０８）、チャプタ＃２（１０９）、…チャプタ＃Ｍ（１１０）とい
うように、さらに細分化された単位に分けて管理される。例えば、録画時間が５
分を超えるごとにチャプタを増やしていく。
【０００７】
図２にさらに詳細なデータ構造を示す。図２は、ファイナライズ処理により記
録媒体１０１上に構築されるデータ構造を示す図である。記録媒体１０１に記録
された情報は、一つのビデオマネージャ３０２とビデオタイトルセット＃１（３
０３）、ビデオタイトルセット＃２（３０４）、…ビデオタイトルセット＃Ｌ（
３０５）とで管理される。
【０００８】
ビデオマネージャ３０１は、ビデオマネージャ情報３０６、ビデオマネージャ
メニュービデオオブジェクトセット３０７、ビデオマネージャ情報バックアップ
３０８とから構成される。ビデオマネージャ情報３０６は、記録媒体１０１に記
録された情報全体を管理する情報である。ビデオマネージャメニュービデオオブ
ジェクトセット３０７は、記録媒体３０１に記録された情報の再生に利用される
メニュー画面を表示するための情報である。ビデオマネージャ情報バックアップ
３０８は、ビデオマネージャ情報３０６のバックアップ情報である。
【０００９】
それぞれのビデオタイトルセットは、ビデオタイトルセット情報３０９、ビデ
オタイトルセットメニュービデオオブジェクトセット３１０、ビデオタイトルセ
ットビデオオブジェクトセット３１１、ビデオタイトルセット情報バックアップ
３１２とから構成される。ビデオタイトルセット情報３０９は、一つのビデオタ
イトルセット全体を管理する情報である。図１に示したタイトル、チャプタとい
った単位での情報の管理は、このビデオタイトルセット情報３０９によって行わ
れる。ビデオタイトルセットメニュービデオオブジェクトセット３１０は、一つ
のビデオタイトルセット内の情報の再生に利用されるメニュー画面を再生するた
めの情報である。ビデオタイトルセットビデオオブジェクトセット３１１は、録
画した映像のＡＶストリーム、すなわち情報そのものである。ビデオオブジェク
トセット情報バックアップ３１２は、ビデオオブジェクトセット情報のバックア
ップ情報である。
【００１０】
なお、ビデオマネージャメニュービデオオブジェクトセット３０７、ビデオタ
イトルセットメニュービデオオブジェクトセット３１０は、記録媒体上に構築し
てもしなくてもよい。
【発明の開示】
【発明が解決しようとする課題】
【００１１】
このような記録の方式であると、録画終了（記録終了）の度に、ビデオタイト
ルセットに関する情報を作成し、記録しなければならないため、録画終了処理に
時間を要する。さらに、記録媒体上に構築できるビデオタイトルセット及びタイ
トルの数には制限がある（最大９９個）ため、録画（記録）可能な回数も制限を
受けてしまう。その結果、例えば記録可能な回数に達したにも拘わらず、記録媒
体には記録可能な容量のうち半分しか記録されていないといったケースが発生す
る可能性があるため、記録媒体の記録領域を有効に活用できない可能性がある。
【００１２】
本発明の第一の目的は、記録終了時の終了処理時間を短縮することができる情
報記録技術を提供することである。さらに、本発明の第二の目的は、ビデオタイ
トルセット数、タイトル数の最大数の制限を受けることなく記録ができる情報記
録技術を提供することである。
【課題を解決するための手段】
【００１３】
本発明では例えば以下の構成により前記課題を解決できるが、この構成に限られることはない。
前記課題は例えば、記録開始指示により記録媒体への情報の記録を開始し、記録終了指示により記録媒体への情報の記録を終了するビデオカメラにおいて、前記情報を前記記録媒体に記録する記録手段を備え、前記記録手段は、前記記録媒体に既に情報が記録されている場合に、前記既に記録されている情報の解像度と次に記録する情報の解像度が異なる場合は解像度の変更を禁止し、記録終了指示を受けたときの前記情報の情報量が前記記録媒体の所定記録単位の整数倍に満たない場合、アライメントして記録することで前記情報の情報量を前記記録媒体の所定記録単位の整数倍とすることによって、解決される。
【００１４】
記録開始指示、記録終了指示といった記録指示により、情報を記録媒体に記録
し、かつファイナライズ処理の際、１回の記録指示により生成される前記情報を
１チャプタとして管理し、少なくとも１つのチャプタを１タイトルとして管理し
、少なくとも１つのタイトルから構成される前記記録媒体上の全ての前記情報を
１ビデオタイトルセットとして管理する管理情報を生成し、前記管理情報を前記
記録媒体に記録する。
【発明の効果】
【００１５】
本発明によれば、記録終了時にビデオタイトルセットを作る時間を省くことが
できるので、記録終了時間を短縮することができる。また、情報信号を記録でき
る回数を増やすことができるので、記録媒体の記録領域を有効に活用できる。
【発明を実施するための最良の形態】
【００１６】
以下、本発明の実施形態について図面を用いて説明する。
【００１７】
本発明の実施形態により情報信号が記録される記録媒体上のデータ構造は、図
３に示すような構造になる。１回の記録開始から記録終了までに記録される情報
を１チャプタとして管理できるように記録する。記録媒体２０１に記録される全
ての情報を一つのビデオタイトルセット＃１（２０２）として管理するデータ構
造とする。さらにビデオタイトルセット＃１（２０２）を、タイトル＃１（２０
３）、タイトル＃２（２０４）、…タイトル＃Ｎ（２０５）のように細分化する
。一つのタイトルは、チャプタ＃１（２０６）、チャプタ＃２（２０７）、…チ
ャプタ＃Ｍ（２０８）のように複数のチャプタを一つに束ねるような構成となる
。このとき、タイトルを束ね方の規則はいろいろある。例えば、同じ日に記録し
た複数のチャプタを一つのタイトルとしたり、または、記録したチャプタ数が所
定数（例えば、９９個）に達するごとに１タイトルとしたりすることができる。
【００１８】
このように記録することによって、記録終了時にビデオタイトルセットを作る
時間を省くことができ、その分だけ記録終了時間を短縮できる。さらに、ビデオ
タイトルセット数、タイトル数の制限（最大９９）より多くの回数、記録できる
ようになる。
【００１９】
つまり前述のように従来では、１回の録画開始から録画終了まで（シーンと呼
ぶ）を１つのビデオタイトルセットとして管理し、さらに１つのビデオタイトル
セットを１つのタイトルに対応付ける形で管理していたため、記録媒体あたりの
ビデオタイトルセット数及びタイトル数の制限（例えば、９９個）しかシーンを
記録することができなかった。これに対して本実施形態では、１つのシーンを１
つのチャプタに対応付け、タイトルは複数のチャプタから構成されるようにし、
さらに記録された複数のタイトル全体を１つのビデオタイトルセットとして管理
するように構成するので、例えば上記のようなタイトル数の制限があっても、記
録媒体あたりの記録可能シーン数は、タイトル数の制限（９９個）×タイトルあ
たりのチャプタ数の制限（例えば、９９個）、というようになり、タイトル数の
制限を超えた回数記録することが可能となる。
【００２０】
図４に本発明を適用した情報記録再生装置１２００の概略ブロック図を示す。
例えば、ＴＶ番組等を録画できるＤＶＤレコーダに代表される据え置き型装置が
この情報記録再生装置１２００に該当する。情報記録再生装置１２００は、入力
端子１２２９から入力された情報を記録媒体２０１に記録するものである。また
、情報記録媒体２０１に記録された情報を再生して、情報信号出力端子１１２８
から出力するものである。
【００２１】
光ピックアップ１１１８から検出された信号はサーボ信号生成回路１１１９お
よび情報信号再生回路１１２０に送られる。サーボ信号生成回路１１１９では、
これら検出信号から光ディスクに適したフォーカシング制御信号やトラッキング
制御信号が生成され、これをもとにアクチュエータ駆動回路１１２１を経て光ピ
ックアップ１１１８内の対物レンズアクチュエータを駆動し、対物レンズの位置
制御を行う。また、情報信号再生回路１１２０では前記検出信号から光ディスク
２０１に記録された情報が再生され、その情報は情報信号出力端子１１２８へ出
力される。なお、前記サーボ信号生成回路１１１９および、情報信号再生回路１
１２０で得られた信号の一部はシステム制御回路１１２２に送られる。
【００２２】
また、入力端子１２２９から入力された情報は、記録情報信号変換回路１１２
４でＡＶストリームに変換される。このＡＶストリームはシステム制御回路１１
２２に送られ、レーザ駆動用記録信号に変換される。このレーザ駆動用記録信号
によってレーザ光源点灯回路１１２３を駆動して発光量制御を行い、光ピックア
ップ１１１８を介して、光ディスク１１０８に情報を記録する。
【００２３】
なお、このシステム制御回路１１２２にはアクセス制御回路１１２５とスピン
ドルモータ駆動回路１１２６が接続されており、それぞれ光ピックアップ１１１
８のアクセス方向位置制御や光ディスク１１０８のスピンドルモータ１１２７の
回転制御が行われる。また、情報記録再生装置１２００の電源は、商用電源から
供給された電力を処理する電源回路１２５０を介して供給される。
【００２４】
また、記録、再生の指示は、ユーザ処理部１１５１を介して行うことができ、
記録媒体２０１から再生した情報や入力端子１２２９から入力される情報は、表
示処理部１１５２に表示させることができる。
【００２５】
なお、情報記録再生装置１２００がＤＶＤカメラに代表される可搬型装置であ
る場合には、光学的に撮像後、カメラ信号処理回路（図示せず）にて、電気信号
に変換された情報信号が、記録情報信号変換回路１１２４に入力される。また、
電源回路１２５０の代わりに電池によって電源が供給される。
【００２６】
なお、この情報記録装置１２００自体は、いわゆるファイナライズ処理が行わ
れていなくても、記録媒体に記録された情報を再生出来るものである。
【００２７】
図５は、情報記録再生装置１２００の一部を詳細に示したブロック図である。
【００２８】
図５において、ＡＶストリーム処理部４０２は記録情報信号変換回路１１２４
に対応する。また、管理情報処理部４０３、制御部４０７は、図３に図示したシ
ステム制御回路１１２２の一部を構成する部分である。また、記録媒体駆動処理
部４０４は、図３における光ピックアップ１１１８、レーザ光源点灯回路１１２
３、サーボ信号生成回路１１１９、情報信号再生回路１１２０、アクセス制御回
路１１２５、スピンドルモータ駆動回路１１２６、システム制御回路１１２２等
が対応する。また、操作部４０８は、ユーザ入力処理部１１５１に対応する。
【００２９】
入力端子１２２９から出力された情報は、ＡＶストリーム処理部４０２で符号
化され、ＡＶストリームとして記録媒体駆動処理部４０４によって、記録媒体２
０１に書き込まれる。ムービーや据え置き型のビデオレコーダでは、記録開始か
ら終了までの間、ＡＶストリームは記録媒体２０１に書き込まれる。このＡＶス
トリームは追加記録される。１回の記録開始から記録終了までの区切りを１チャ
プタとする。
【００３０】
記録中にＡＶストリーム処理部４０２から管理情報処理部４０３に情報が伝送
される。管理情報処理部４０３で、記録終了時に一時管理情報を作成し、記録媒
体駆動処理部４０４によって、一時管理情報が記録媒体２０１に書き込まれる。
【００３１】
この一時管理情報は、記録終了の都度、追加記録される。記録開始・記録終了
は、操作部４０８から情報が制御部４０７に伝わる。制御部４０７は、図４の点
線で囲われた部分４０６の各ブロックを一括制御する。
【００３２】
図６に情報記録再生装置１１００が電源投入後から実行する動作のフローチャ
ートを示す。以下のフローチャートに示す動作は、システム制御回路１１２２（
特に制御部４０７）による制御の下で実行されるものとして説明する。
【００３３】
電源投入後、記録媒体駆動処理部４０４により記録媒体２０１が初期化されて
いるかどうかを調べる（ステップＳ５０１）。初期化されていなけれれば、初期
化を実行するかどうか選択を促す表示を表示処理部１１５２に表示させる（ステ
ップＳ５０２）。ユーザ入力処理部１１５１により初期化を実行しない選択がな
された場合は、記録媒体２０１に情報信号を記録することができないので、今後
一切の処理を終了する（ステップＳ５０３）。一方、ユーザ入力処理部１１５１
により初期化を実行する選択がなされた場合は、表示処理部１１５２に初期化後
の他の装置で情報を記録することができない旨を表示させ（ステップＳ５０４）
、記録媒体２０１を初期化した（ステップＳ５０５）上で、ステップＳ５０１に
戻る。
【００３４】
ステップＳ５０１で初期化されていると判断した場合には、ステップＳ５０６
に進み、ユーザ入力処理部１１５１により記録開始指示がなされたかどうか判断
する。記録開始指示がなされていれば、ユーザ入力処理部１１５１により記録終
了指示がなされるまでの間、記録媒体駆動処理部４０４は、ＡＶストリーム処理
部４０２で符号化されたＡＶストリーム（情報）を記録媒体２０１に記録する（
ステップＳ５０７）。記録終了指示がなされると（ステップＳ５０８）、情報の
記録を終了し、記録したＡＶストリームを管理する一時管理情報を管理情報処理
部４０３で生成し、記録媒体駆動処理部４０４は、この一時管理情報を記録媒体
２０１に記録した（ステップＳ５０９）上でステップＳ５０１に戻る。なお、１
回の記録開始指示から記録終了指示までに記録された情報は、１チャプタとして
管理できるように記録する。
【００３５】
図７は、記録媒体２０１上のチャプタの配置を示した図であり、情報が記録開
始／終了指示により３回記録され、チャプタが３つ記録されている例である。チ
ャプタ＃１（１００１）とチャプタ＃２（１００２）の間に隙間が生じないよう
に情報が記録されている。同様に、チャプタ＃２（１００２）とチャプタ＃３（
１００３）の間も、隙間が生じないように情報が記録されている。チャプタの間
に隙間が生じないようにするために、各チャプタのサイズが記録媒体に記録する
所定の単位の整数倍になるようにアライメントして記録する必要がある。例えば
、光ディスクの場合、ＥＣＣブロック（３２キロバイト）単位にアライメントさ
れるように、ダミー情報を記録することで各チャプタのサイズを記録所定単位の
整数倍に調整することでチャプタの間に隙間が生じないようにする。チャプタの
間に隙間が生じないように記録することにより、再生専用装置においても正常に
再生することができる。
【００３６】
ステップＳ５０６で記録開始指示がなされていないと判断した場合には、ステ
ップＳ５１０に進み、ユーザ入力処理部１１５１により解像度変更指示がなされ
たかどうか判断する。解像度変更指示がなされている場合には、記録媒体駆動部
４０４は、記録媒体２０１に既に情報が記録されているかどうか判断する（ステ
ップＳ５１１）。情報が記録されていない場合には、システム制御回路１１２２
がユーザ入力処理部１１５１から指示された解像度に変更した（ステップＳ５１
２）上でステップＳ５０１に戻る。一方、既に情報が記録されている場合には、
表示処理部１１５２に解像度変更ができない旨を表示させ（ステップＳ５１３）
、ステップＳ５０１に戻る。互いに異なる解像度の情報信号を１つのビデオタイ
トルセットで管理することができないからである。
【００３７】
ステップＳ５１０で解像度変更が指示されていないと判断した場合には、ステ
ップＳ５１４に進み、ユーザ入力処理部１１５１によりファイナライズ処理の指
示がなされたかどうか判断する。ファイナライズ指示がなされていなければステ
ップＳ５０１に戻る。一方、ファイナライズ指示がなされている場合には、ステ
ップＳ５１５〜Ｓ５１７を実行することでファイナライズ処理を行い（ステップ
Ｓ５１５）、以後の動作を終了する（ステップＳ５１６）。
【００３８】
ステップＳ５１５におけるファイナライズ処理の実行により、図２に示したよ
うなデータ構造を構築する。具体的には、管理情報及び再生用のメニュー画面情
報を生成し、記録媒体２０１に記録する。なお、上述のとおり、本実施形態では
ビデオタイトルセットが１つしか生成されないことは言うまでもない。
【００３９】
図２において、管理情報に相当する情報は、ビデオマネージャ情報３０６、ビ
デオマネージャ情報バックアップ３０８、ビデオタイトルセット情報３０９、ビ
デオタイトルセット情報バックアップ３１２である。また再生用のメニュー画面
情報に相当する情報は、ビデオマネージャメニュービデオオブジェクトセット３
０７、ビデオタイトルセットメニュービデオオブジェクトセット３１０である。
【００４０】
管理情報は、記録終了処理のときに記録媒体に記録した一時管理情報をもとに
作成され、図３に示すように、記録したＡＶストリームを一つのビデオタイトル
セット＃１（２０２）になるようにし、記録開始から終了までの一つのシーンを
チャプタとして割り当て、さらに、チャプタを、同一の日付でフォルダリングし
てタイトルとなるようにする。また、同一日付のチャプタ数が所定数を超えた場
合、その所定数、例えば、９９個でタイトルとする。
【図面の簡単な説明】
【００４１】
【図１】図１は、ビデオタイトルセット、タイトル、チャプタのデータ構造の一例を示す図である。
【図２】図２は、記録媒体上に構築されるデータ構造を示す図である。
【図３】図３は、本発明によるビデオタイトルセット、タイトル、チャプタのデータ構造の一例を示す図である。
【図４】図４は、情報記録再生装置の概略を示すブロック図である。
【図５】図５は、情報記録再生装置の一部を詳細に示したブロック図である。
【図６】図６は、情報記録再生装置が電源投入後から実行する動作のフローチャートを示す図である。
【図７】図７は、ビデオタイトルセット内のチャプタ配置を示す図である。
【符号の説明】
【００４２】
２０１…記録媒体、４０２…ＡＶストリーム処理部、４０３…管理情報処理部
、４０４…記録媒体駆動処理部、４０７…制御部、４０８…操作部。
【図１】
0004450020.tif 000002
【図２】
0004450020.tif 000003
【図３】
0004450020.tif 000004
【図４】
0004450020.tif 000005
【図５】
0004450020.tif 000006
【図６】
0004450020.tif 000007
【図７】
0004450020.tif 000008